(57)【要約】【課題】直流リレーの状態監視機能を有するように補助接点が備えられた直流リレーを提供する。【解決手段】本発明の一実施形態による補助接点が備えられた直流リレーは、ハウジング１０と、ハウジング１０の一部に設けられる主接点１７、１８と、ハウジング１０の他部に設けられる補助接点１９とを含み、ハウジング１０の内部には、縦方向に隔壁１１が設置されて第１収容部１２及び第２収容部１３が設けられ、第１収容部１２に主接点１７、１８が設けられ、第２収容部１３に補助接点１９が設けられる。【選択図】図３
2019129150.tif 000002
【特許請求の範囲】
【請求項１】
ハウジングと、
前記ハウジングの一部に設けられる主接点と、
前記ハウジングの他部に設けられる補助接点とを含み、
前記ハウジングの内部には、縦方向に隔壁が設置されて第１収容部及び第２収容部が設けられ、前記第１収容部に前記主接点が設けられ、前記第２収容部に前記補助接点が設けられる、補助接点が備えられた直流リレー。
【請求項２】
前記主接点は、
前記第１収容部の上面に貫設される固定接点と、
前記第１収容部の内部に移動可能に設けられて前記固定接点に接離する可動接点とを含む、請求項１に記載の補助接点が備えられた直流リレー。
【請求項３】
前記隔壁は、前記ハウジングと一体に形成されるか、又は前記ハウジングに着脱可能に形成される、請求項２に記載の補助接点が備えられた直流リレー。
【請求項４】
前記第１収容部の下部を覆うように備えられる収容部下部カバーをさらに含む、請求項２又は３に記載の補助接点が備えられた直流リレー。
【請求項５】
前記第２収容部の内部に備えられる補助接点用取付部をさらに含む、請求項４に記載の補助接点が備えられた直流リレー。
【請求項６】
前記主接点の動作状態に連動して動作してその信号を前記補助接点に伝達するスイッチをさらに含む、請求項５に記載の補助接点が備えられた直流リレー。
【請求項７】
前記スイッチは、前記補助接点用取付部の一部に形成される突起部に設けられる、請求項６に記載の補助接点が備えられた直流リレー。
【請求項８】
前記補助接点用取付部の上面には、補助接点用回路板が設けられる、請求項６に記載の補助接点が備えられた直流リレー。
【請求項９】
前記補助接点用回路板の一部には、前記スイッチの端子が貫通するスイッチ端子孔が形成され、前記補助接点用回路板の他部には、前記補助接点に接続される補助接点接続部が設けられる、請求項８に記載の補助接点が備えられた直流リレー。
【請求項１０】
前記可動接点に動力を供給する駆動軸と、
前記可動接点及び前記駆動軸を支持する上部支持板及び下部支持板とをさらに含む、請求項６に記載の補助接点が備えられた直流リレー。
【請求項１１】
前記下部支持板の一部に突設されて前記スイッチを作動させるレバーをさらに含む、請求項１０に記載の補助接点が備えられた直流リレー。
【請求項１２】
前記レバーを作動できるように、前記隔壁には動力伝達凹部が形成され、前記収容部下部カバーには切欠部が形成される、請求項１１に記載の補助接点が備えられた直流リレー。
【請求項１３】
前記補助接点には、前記補助接点の信号を外部に伝達する外部ケーブルが接続される、請求項１〜１２のいずれかに記載の補助接点が備えられた直流リレー。
【請求項１４】
前記ハウジングの上部には、前記外部ケーブルが設置される外部ケーブルモールドが備えられる、請求項１３に記載の補助接点が備えられた直流リレー。
【発明の詳細な説明】
【技術分野】
【０００１】
本発明は、補助接点が備えられた直流リレーに関し、より詳細には、直流リレーの状態監視機能を有するように補助接点が備えられた直流リレーに関する。
【背景技術】
【０００２】
一般に、直流リレー（Direct Current Relay）又は電磁開閉器（Magnetic Switch）は、電磁石の原理を利用して機械的な駆動と電流信号を伝達する電気的な回路開閉装置の一種であって、各種産業用設備、機械や車両などに設けられる。
【０００３】
特に、ハイブリッド自動車、燃料電池自動車、ゴルフカート、電動フォークリフトなどの電気自動車（Electric Vehicle）は、バッテリの電力を動力発生装置及び電装部に供給及び遮断するための電気自動車用リレー（Electric Vehicle Relay）を備えており、当該電気自動車用リレーは電気自動車において非常に重要な中核部品の１つである。
【０００４】
図９及び図１０は従来技術による直流リレーの斜視図及び内部構造図である。
【０００５】
直流リレーは、ケース（図示せず）の内部に備えられるプレート１の上部に設けられる接点部及び消弧部と、プレート１の下部に設けられるアクチュエータとを含む。
【０００６】
プレート１の上部には、通常アークチャンバと呼ばれるハウジング２が備えられる。接点部は、ハウジング２の上面に固定設置される固定接点３と、アクチュエータの作用により動いて固定接点３に接離する可動接点４とから構成される。消弧部は、ハウジング２の内部に設けられ、消弧用ガスなどが充填されるようにしてもよい。
【０００７】
アクチュエータは、電磁石の原理により動作するものであり、固定コア５、可動コア６、可動軸７及びリターンスプリング８を含む。固定コア５及び可動コア６はシリンダ９で囲まれている。シリンダ９及びハウジング２は密閉された空間を形成する。
【０００８】
シリンダ９の周辺にはコイル（図示せず）が備えられており、電源が供給されると周辺に電磁力を発生する。固定コア５はコイルから発生する電磁力により励磁され、可動コア６は固定コア５の磁力により吸引される。よって、可動コア６に結合された可動軸７及び可動軸７の上部に結合された可動接点４は共に動いて固定接点３に接触し、回路は通電状態となる。リターンスプリング８はコイルの電源が遮断されると可動コア６が初期位置に復帰するように付勢する。
【０００９】
事故電流の発生により可動接点４が固定接点３から分離されて回路が遮断されると接点部にアークが発生するが、そのアークを消弧するために、接点周辺部は、気密性が保持され、水素（Ｈ２）や窒素（Ｎ２）などの絶縁性ガスが充填されるようにする。
【００１０】
消弧用ガスが漏れないようにするために、ハウジング２、プレート１及びシリンダ９は互いに密封されるようにする。例えば、ハウジング２の内部に消弧用ガスを注入し、その後シリンダ９をプレート１にレーザ溶接方式で密封する。
【発明の概要】
【発明が解決しようとする課題】
【００１１】
しかし、このようにハウジング２、プレート１及びシリンダ９が密閉状態にある場合、内部部品、とりわけ接点部の状態を把握できないという問題がある。
【００１２】
よって、接点部の状態を判断して監視することのできる構成が要求される。
【００１３】
本発明は、上記問題を解決するためになされたものであり、接点部の動作状態を把握できる監視機能を有するように補助接点が備えられた直流リレーを提供することを目的とする。
【課題を解決するための手段】
【００１４】
本発明の一実施形態による補助接点が備えられた直流リレーは、ハウジングと、前記ハウジングの一部に設けられる主接点と、前記ハウジングの他部に設けられる補助接点とを含み、前記ハウジングの内部には、縦方向に隔壁が設置されて第１収容部及び第２収容部が設けられ、前記第１収容部に前記主接点が設けられ、前記第２収容部に前記補助接点が設けられる。
【００１５】
ここで、前記主接点は、前記第１収容部の上面に貫設される固定接点と、前記第１収容部の内部に移動可能に設けられて前記固定接点に接離する可動接点とを含んでもよい。
【００１６】
また、前記隔壁は、前記ハウジングと一体に形成されてもよく、前記ハウジングに着脱可能に形成されてもよい。
【００１７】
さらに、前記直流リレーは、前記第１収容部の下部を覆うように備えられる収容部下部カバーをさらに含んでもよい。
【００１８】
さらに、前記直流リレーは、前記第２収容部の内部に備えられる補助接点用取付部をさらに含んでもよい。
【００１９】
さらに、前記直流リレーは、前記主接点の動作状態に連動して動作してその信号を前記補助接点に伝達するスイッチをさらに含んでもよい。
【００２０】
さらに、前記スイッチは、前記補助接点用取付部の一部に形成される突起部に設けられてもよい。
【００２１】
さらに、前記補助接点用取付部の上面には、補助接点用回路板が設けられてもよい。
【００２２】
さらに、前記補助接点用回路板の一部には、前記スイッチの端子が接続されるスイッチ端子孔が形成され、前記補助接点用回路板の他部には、前記補助接点に接続される補助接点接続部が設けられてもよい。
【００２３】
さらに、前記直流リレーは、前記可動接点に動力を供給する駆動軸と、前記可動接点及び前記駆動軸を支持する上部支持板及び下部支持板とをさらに含んでもよい。
【００２４】
さらに、前記直流リレーは、前記下部支持板の一部に突設されて前記スイッチを作動させるレバーをさらに含んでもよい。
【００２５】
さらに、前記レバーを作動できるように、前記隔壁には動力伝達凹部が形成され、前記収容部下部カバーには切欠部が形成されてもよい。
【００２６】
さらに、前記補助接点には、前記補助接点の信号を外部に伝達する外部ケーブルが接続されてもよい。
【００２７】
さらに、前記ハウジングの上部には、前記外部ケーブルが設置される外部ケーブルモールドが備えられてもよい。
【発明の効果】
【００２８】
本発明の一実施形態による補助接点が備えられた直流リレーによれば、補助接点が備えられるので、主接点の動作状態を外部に伝達することができる。よって、主接点の状態監視及び主接点の動作に伴う連携作業の実行などが可能になる。
【００２９】
前記補助接点及び付属装置は、ハウジングの内部に形成される隔壁により主接点部と分離されて設けられる。すなわち、補助接点用回路板及びスイッチは、ハウジングの内部に別途設けられる収容空間に設置されるので、接点部の消弧機能に影響を与えない。また、遮断時に発生するアークにより損傷しない。
【００３０】
前記補助接点用回路板及び前記スイッチを設置する補助接点用取付部が設けられるので、前記補助接点用回路板及び前記スイッチを容易に設置することができる。
【００３１】
前記補助接点の信号を外部に伝達する端子ケーブルが設置される外部ケーブルモールドがハウジングの上部に設けられるので、端子ケーブルの設置が容易である。
【図面の簡単な説明】
【００３２】
【図１】本発明の一実施形態による直流リレーの斜視図であり、ケース及びアクチュエータの一部を省略して示すものである。
【図２】本発明の一実施形態による直流リレーのアークチャンバの内部を示す正面図である。
【図３】本発明の一実施形態による直流リレーのアークチャンバの内部を示す右側面図である。
【図４】本発明の一実施形態による直流リレーに適用されるアークチャンバの底部斜視図である。
【図５】図１からアークチャンバを省略して示す斜視図である。
【図６】本発明の一実施形態による直流リレーに適用される補助接点用取付部の斜視図である。
【図７】本発明の一実施形態による直流リレーに適用される駆動軸アセンブリの斜視図である。
【図８】本発明の一実施形態による直流リレーに適用される外部ケーブルモールドの斜視図である。
【図９】従来技術による直流リレーの斜視図である。
【図１０】従来技術による直流リレーの内部構造図である。
【発明を実施するための形態】
【００３３】
以下、添付図面を参照して本発明の好ましい実施形態について説明するが、これらは本発明を詳細に説明するためのものであり、本発明の技術的思想や範囲を限定するものではない。
【００３４】
図１は本発明の一実施形態による直流リレーの斜視図であり、図２及び図３は本発明の一実施形態による直流リレーのアークチャンバの内部図であり、図４は本発明の一実施形態による直流リレーに適用されるアークチャンバの底部斜視図であり、図５は図１からアークチャンバを省略して示す斜視図であり、図６〜図８はそれぞれ本発明の一実施形態による直流リレーに適用される補助接点用取付部、駆動軸アセンブリ、外部ケーブルモールドの斜視図である。
【００３５】
本発明の一実施形態による補助接点が備えられた直流リレーは、ハウジング１０と、ハウジング１０の一部に設けられる主接点１７、１８と、ハウジング１０の他部に設けられる補助接点１９と、ハウジング１０の内部に備えられる補助接点用取付部３０とを含み、ハウジング１０の内部には、隔壁１１が設置されて第１収容部１２及び第２収容部１３が設けられ、第１収容部１２に主接点１７、１８が設けられ、第２収容部１３に補助接点用取付部３０が設けられる。
【００３６】
ハウジング１０は、主接点１７、１８の設置及び消弧のために設けられる。ハウジング１０は、主接点１７、１８を遮断（分離）したときに発生するアークを消弧するために設けられるものであり、アークチャンバともいう。ハウジング１０は、下面が開放された箱状に形成されてもよい。ハウジング１０は、セラミックなど、耐食性、耐熱性に優れた材質で形成される。ハウジング１０には主接点１７、１８及び補助接点１９が設けられる。主接点１７、１８は、固定接点１８と、固定接点１８に接離する可動接点１７とから構成されてもよい。
【００３７】
隔壁１１は、ハウジング１０の内部に縦方向に立設されてもよい。隔壁１１は、ハウジング１０の内部に長手方向（幅広方向）に沿って形成されてもよい。隔壁１１は、ハウジング１０と同じ材質で形成されてもよい。例えば、隔壁１１は、セラミック材料で形成されてもよい。隔壁１１は、ハウジング１０と一体に形成されてもよく、ハウジング１０に着脱可能に形成されてもよい。
【００３８】
隔壁１１によりハウジング１０の内部空間は２つの空間に分けられる。それを区分して第１収容部１２、第２収容部１３という。なお、第１収容部１２は主接点用収容部であり、第２収容部１３は補助接点用収容部である。隔壁１１により第１収容部１２と第２収容部１３とは完全に区画されて遮断される。
【００３９】
第１収容部１２には、主接点１７、１８、すなわち可動接点１７及び固定接点１８が設けられる。
【００４０】
第２収容部１３には、補助接点１９及び補助接点用構成要素が設けられる。補助接点１９は、第２収容部１３の上面に設けられる。
【００４１】
隔壁１１の下部には動力伝達凹部１４が形成される。動力伝達凹部１４は、レバー５７を作動させるための空間である。
【００４２】
ハウジング１０の上面の一部には固定接点１８が貫設される。固定接点１８は、第１収容部１２の上面に設けられる。固定接点１８は、離隔して並設される一対からなるようにしてもよい。固定接点１８の上端部は外部の負荷に接続され、固定接点１８の下端部は可動接点１７に接続されてもよい。
【００４３】
可動接点１７は、ハウジング１０の内部に設けられる。可動接点１７は、第１収容部１２に設けられる。可動接点１７は、駆動軸５０に結合されて上下運動して固定接点１８に接離する。
【００４４】
ハウジング１０の上面の他部には補助接点１９が貫設される。補助接点１９は、第２収容部１３の上面に貫設される。補助接点１９は、離隔して並設される一対からなるようにしてもよい。補助接点１９の上端部は外部に接続され、補助接点１９の下端部は補助接点用回路板（Printed Circuit Board）３５を介してスイッチ４０に接続されてもよい。
【００４５】
補助接点１９は、主接点１７、１８の状態によって作動する。すなわち、スイッチ４０により伝達される主接点１７、１８の作用によって信号を伝達する。補助接点１９は、主接点１７、１８がオンである場合にオン作動するように順方向に作動（順方向信号を伝達）するか、又は主接点１７、１８がオンである場合にオフ作動するように逆方向に作動（逆方向信号を伝達）する。
【００４６】
ミドルプレート２０は平板で形成される。ミドルプレート２０は、アクチュエータと接点部とを区画する役割を果たす。ミドルプレート２０の下部にはアクチュエータが設けられる。ミドルプレート２０の上部には下部支持板５５が備えられ、主接点１７、１８及び補助接点１９が設けられる。また、ミドルプレート２０の上部には消弧部が設けられる。消弧部は、下部支持板５５の内部の一部分で構成されてもよい。消弧部は、第２収容部１３で構成されてもよい。ミドルプレート２０の中央にはホールが形成され、駆動軸５０の上下運動を可能にする。ミドルプレート２０は、ハウジング１０及びアクチュエータの一部の構成要素を支持する。
【００４７】
ミドルプレート２０の上部には収容部下部カバー２５が設けられる。収容部下部カバー２５は、第１収容部１２の下部に結合される。収容部下部カバー２５は、第１収容部１２の下部を閉じて主接点部を閉鎖する役割を果たす。収容部下部カバー２５の中央にはホールが形成され、駆動軸５０の上下運動を可能にする。また、収容部下部カバー２５の前面には切欠部２６が形成され、レバー５７を作動させるための空間を設ける。
【００４８】
ミドルプレート２０の上部には補助接点用取付部３０が設けられる。補助接点用取付部３０は、収容部下部カバー２５の前面に設けられてもよい。補助接点用取付部３０は、合成樹脂物からなるようにしてもよい。補助接点用取付部３０は、第２収容部１３に挿入設置される。補助接点用取付部３０は、下面及び側面の一部が開放された箱状に形成されてもよい。
【００４９】
補助接点用取付部３０の一部には、レバー５７を作動させるための空間である作用部３１が設けられる。作用部３１は、補助接点用取付部３０の一部に形成される溝状の空間として設けられてもよい。
【００５０】
補助接点用取付部３０の一部には、スイッチ４０が設置される突起部３２が形成されてもよい。突起部３２は、作用部３１の一部に設けられてもよい。
【００５１】
補助接点用取付部３０の上面には、スイッチ４０のスイッチ端子４１が貫通するスイッチ端子孔３３が形成されてもよい。スイッチ端子孔３３は、作用部３１の上面に形成されてもよい。
【００５２】
補助接点用取付部３０の上面には補助接点用回路板３５が設けられてもよい。
【００５３】
補助接点用取付部３０は第２収容部１３に設けられる。すなわち、ハウジング１０をミドルプレート２０に結合すると、補助接点用取付部３０は第２収容部１３に挿入される。
【００５４】
スイッチ４０は、主接点１７、１８の動作状態に連動して動作する。スイッチ４０は、主接点１７、１８のオン／オフ状態を伝達することができる。スイッチ４０は、マイクロスイッチであってもよい。この場合、端子が露出しないので、スパークの発生による事故が起こる可能性が低くなる。スイッチ４０により直流リレーの動作状態が外部に伝達される。スイッチ４０にはスイッチレバー４２が備えられる。
【００５５】
補助接点用取付部３０の上面には補助接点用回路板３５が設けられる。補助接点用回路板３５の一部にはスイッチ端子孔３６が設けられる。補助接点用回路板３５のスイッチ端子孔３６は、補助接点用取付部３０のスイッチ端子孔３３に連通する。
【００５６】
補助接点用回路板３５の他部には補助接点接続部３７が設けられる。補助接点接続部３７は、クランプなどの接触用締結部材又は嵌合部材で構成されてもよい。補助接点接続部３７は、補助接点１９の下端部に接続される。
【００５７】
補助接点用回路板３５には、補助接点１９とスイッチ４０とを接続する回路又は制御部が備えられてもよい。当該回路又は制御部では、主接点１７、１８の状態によって補助接点１９の動作方向（信号伝達方向）を設定することができる。
【００５８】
補助接点接続部３７は、補助接点１９とスイッチ４０とを接続する。補助接点接続部３７は、補助接点１９の下端部に接続される。また、補助接点接続部３７は、スイッチ端子４１に接続される。
【００５９】
図７に示す駆動軸アセンブリは、駆動軸５０、可動接点１７、上部支持板５４、下部支持板５５、コンタクトスプリング５２及びレバー５７を含む。
【００６０】
可動接点１７は、駆動軸５０の上部に結合される。ここで、可動接点１７と駆動軸５０間にはコンタクトスプリング５２が介在する。駆動軸５０の駆動力はコンタクトスプリング５２を介して可動接点１７に伝達される。
【００６１】
可動接点１７の上面には上部支持板５４が設けられる。上部支持板５４は、可動接点１７が離脱しないように可動接点１７の上部から支持して可動接点１７の運動を制限する。上部支持板５４は、コ字状に形成され、可動接点１７を上部から囲む形態で結合されてもよい。
【００６２】
コンタクトスプリング５２の下部には下部支持板５５が設けられる。下部支持板５５は、上部支持板５４に結合されてもよい。上部支持板５４と下部支持板５５とは駆動軸５０に結合されて一体に動くようにしてもよい。
【００６３】
下部支持板５５の一側にはレバー５７が設けられる。レバー５７は、下部支持板５５から一部が突出又は延長されて形成される。レバー５７は、下部支持板５５に一体に形成されてもよい。レバー５７の端部は、スイッチ４０のスイッチレバー４２に連結される。レバー５７は、折曲形成されてもよい。
【００６４】
駆動軸アセンブリは一体に動く。すなわち、駆動軸５０が上昇すると、可動接点１７は上昇して固定接点１８に結合され、レバー５７は上昇してスイッチレバー４２を上昇させることによりスイッチ４０を動作させる。スイッチ４０の動作によって電気的信号が補助接点１９に伝達され、補助接点１９の信号は外部に伝達される。
【００６５】
駆動軸５０の下部には可動コア６０が結合される。可動コア６０は、固定コア６１の磁力により吸引されて上方に移動し、固定コア６１の磁力が解除されるとリターンスプリング６２の作用により元の位置に復帰する。駆動軸５０は可動コア６０と共に動く。
【００６６】
ミドルプレート２０の下部にはシリンダ６５が結合される。シリンダ６５の内部には駆動軸５０、固定コア６１、可動コア６０などが挿入設置され、ミドルプレート２０の下部で気密空間を形成する役割を果たす。シリンダ６５は、気密性のために、ミドルプレート２０の下部に溶接結合されることが好ましい。レーザ溶接方法によれば、作業工程が容易になり、気密性が向上する。シリンダ６５は、コイル（図示せず）の電磁力により可動コア６０及び可動コア６０に結合された駆動軸５０が上昇運動する際にそれをガイドする役割も果たす。
【００６７】
ハウジング１０、ミドルプレート２０の中央のホール及びシリンダ６５は閉鎖された気密空間を形成し、その気密空間は絶縁性ガスが充填されて密封される。
【００６８】
図８には外部ケーブルモールド７０が示されている。外部ケーブルモールド７０は、ハウジング１０の上部に結合される。外部ケーブルモールド７０は、ケース（図示せず）と下部支持板５５間に設けられる。外部ケーブルモールド７０には、固定接点１８が挿入される貫通孔７１が形成される。また、外部ケーブルモールド７０には、端子ケーブル７４が配置される収容溝７２が縁部に沿って形成される。収容溝７２の端部には、補助接点１９を接続するための補助接点端子ホール７３が形成される。補助接点端子ホール７３を介して端子ケーブル７４の端子と補助接点１９とが接続される。端子ケーブル７４を介して補助接点１９の信号が外部に伝達される。外部ケーブルモールド７０により、補助接点１９の信号を外部に伝達する端子ケーブル７４の設置が容易になる。
【００６９】
本発明の一実施形態による補助接点が備えられた直流リレーによれば、補助接点が備えられるので、主接点の動作状態を外部に伝達することができる。よって、主接点の状態監視及び主接点の動作に伴う連携作業の実行などが可能になる。
【００７０】
前記補助接点及び付属装置は、ハウジングの内部に形成される隔壁により主接点部と分離されて設けられる。すなわち、補助接点用回路板及びスイッチは、ハウジングの内部に別途設けられる収容空間に設置されるので、接点部の消弧機能に影響を与えない。また、遮断時に発生するアークにより損傷しない。
【００７１】
前記補助接点用回路板及び前記スイッチを設置する補助接点用取付部が設けられるので、前記補助接点用回路板及び前記スイッチを容易に設置することができる。
【００７２】
前記補助接点の信号を外部に伝達する端子ケーブルが設置される外部ケーブルモールドがハウジングの上部に設けられるので、端子ケーブルの設置が容易である。
【００７３】
本発明に開示された実施形態は本発明を実現するためのものである。よって、前述した実施形態は本発明の技術思想を限定するものではなく説明するためのものであり、前述した実施形態により本発明の技術思想の範囲が限定されるものではない。つまり、本発明の権利範囲は添付の特許請求の範囲により定められるべきであり、同等の範囲内にある全ての技術思想は本発明の権利範囲に含まれるものと解釈されるべきである。
【符号の説明】
【００７４】
１０  ハウジング
１１  隔壁
１２  第１収容部
１３  第２収容部
１４  動力伝達凹部
１７  可動接点
１８  固定接点
１９  補助接点
２０  ミドルプレート
２５  収容部下部カバー
２６  切欠部
３０  補助接点用取付部
３１  作用部
３２  突起部
３５  補助接点用回路板
３７  補助接点接続部
４０  スイッチ
４１  スイッチ端子
４２  スイッチレバー
５０  駆動軸
５２  コンタクトスプリング
５４  上部支持板
５５  下部支持板
５７  レバー
６０  可動コア
６１  固定コア
６２  リターンスプリング
６５  シリンダ
７０  外部ケーブルモールド
７４  端子ケーブル
【図１】
2019129150.tif 000003
【図２】
2019129150.tif 000004
【図３】
2019129150.tif 000005
【図４】
2019129150.tif 000006
【図５】
2019129150.tif 000007
【図６】
2019129150.tif 000008
【図７】
2019129150.tif 000009
【図８】
2019129150.tif 000010
【図９】
2019129150.tif 000011
【図１０】
2019129150.tif 000012